(57)【要約】      （修正有） 【課題】構造が簡単で且つ保冷材が安定されて収納でき、既製のケーキ箱の上部に、保冷材が簡単に収納可能となると共にケーキ箱の上部以外の箇所でも簡単に保冷材が収納可能となる上部に保冷材が収納可能なケーキ箱及びそれに用いる保冷材用収納体を提供する。【解決手段】開口部21aを穿設した表面板21と、表面板21の上下に配置すると共に折曲線を介して設けた側面板と貼着面板と、表面板21の左右に配置すると共に折曲線25を介して傾斜板24aと接触板24bが形成された開閉板24とから成す共に保冷材が収納可能な箱状の収納体２を、ケーキ箱本体１の上蓋板部13に固定し、且つ開閉板24の傾斜板24aの長さが、収納体２の高さよりも１割〜４割長いものとする。【選択図】図１
0003107126.tif 000002
【実用新案登録請求の範囲】
【請求項１】
ケーキ箱本体（１）の上蓋板部（13）に、保冷材（４）が収納可能な箱状の収納体（２）を設け、該収納体（２）の表面には開口部（21a）が穿設され、且つ前記収納体（２）の両側には開閉可能な開閉板（24）が設けられ、該開閉板（24）が、折曲線(25)を介して傾斜板（24a）と接触板（24b）とから形成されたことを特徴とする上部に保冷材が収納可能なケーキ箱。
【請求項２】
前記傾斜板（24a）の長さ（Ｌ）が、前記収納体（２）の高さ（Ｈ）よりも１割〜４割長く形成された請求項１記載の上部に保冷材が収納可能なケーキ箱。
【請求項３】
前記収納体（２）の側面が、前記ケーキ箱本体（１）を組立て使用する際にその側板部（11）の上部内壁に当接可能に配置された請求項１記載の上部に保冷材が収納可能なケーキ箱。
【請求項４】
ケーキ箱本体（１）に貼着させて使用すると共に保冷材（４）が収納可能な箱状で且つ展開自在なものであって、開口部（21a）を穿設した表面板（21）と、該表面板（21）の上下に配置すると共に折曲線(25)を介して設けた側面板（22）と貼着面板（23）と、前記表面板（21）の左右に配置すると共に折曲線(25)を介して傾斜板（24a）と接触板（24b）が形成された開閉板（24）とから少なくとも構成し、且つ前記傾斜板（24a）の長さ（Ｌ）が、前記側面板（22）の高さ（Ｈ）よりも１割〜４割長く形成されたことを特徴とするケーキ箱の保冷材用収納体。
【請求項５】
前記傾斜板（24a）と接触板（24b）の境の折曲線(25)の長さ（ｗ）が、前記表面板（21）の幅（Ｗ）の半分である請求項４記載のケーキ箱の保冷材用収納体。
【請求項６】
前記接触板（24b）に粘着剤（３）が塗布された請求項４又は５記載のケーキ箱の保冷材用収納体。
【考案の詳細な説明】
【技術分野】
【０００１】
本考案は上部に保冷材が収納可能なケーキ箱及びそれに用いる保冷材用収納体に関する。
【背景技術】
【０００２】
一般にケーキ箱内に保冷材を入れ、ケーキ箱を持ち運んでも保冷材が移動しないように固定したものが多く提案されている。例えば特開２００１−４８２６４は、底部の外周に立設される側壁部の一部から延出されて側壁部の内側へ重ね合わされるフラップ部（曲げ片）に、上下に略水平な切込線を入れて略水平な切込片を形成させ、該切込片とフラップ部の間に蓄冷剤（保冷材）を収納可能に構成したケーキ箱である。
【０００３】
しかしながら特開２００１−４８２６４は、保冷材がケーキ箱内側の隅部に立てて収納され、ケーキの横方向から冷気が発せられて、ケーキを保冷することが出来るが、冷気はケーキ箱の底部に溜ってしまい、ケーキの上部と下部で温度差を生じ、良好な保冷状態が確保できなかった。このため、保冷材がケーキの上方に収納されて、冷気を上部から発してケーキが保冷される構造のケーキ箱もあるが、箱の構造が複雑となり、組立てが面倒で、且つ箱のコストアップになっているのが現状である。
【特許文献１】特開２００１−４８２６４号公報
【考案の開示】
【考案が解決しようとする課題】
【０００４】
本考案は構造が簡単で且つ保冷材が安定されて収納できる上部に保冷材が収納可能なケーキ箱を提供することを目的とする。
【０００５】
本考案の他の目的は、既製のケーキ箱の上部に、保冷材が簡単に収納可能となると共にケーキ箱の上部以外の箇所でも簡単に保冷材が収納可能となるケーキ箱の保冷材用収納体を提供するにある。
【課題を解決するための手段】
【０００６】
上記現状に鑑み本考案は成されたものであり、つまり、ケーキ箱本体の上蓋板部に、保冷材が収納可能な箱状の収納体を設け、該収納体の表面には開口部が穿設され、且つ収納体の両側には開閉可能な開閉板が設けられ、該開閉板が、折曲線を介して傾斜板と接触板とから形成された構造とする。また前記傾斜板の長さを、収納体の高さよりも１割〜４割長く形成すると良い。更に収納体の側面が、ケーキ箱本体を組立て使用する際にその側板部の上部内壁に当接可能に配置すると良い。
【０００７】
又、開口部を穿設した表面板と、該表面板の上下に配置すると共に折曲線を介して設けた側面板と貼着面板と、表面板の左右に配置すると共に折曲線を介して傾斜板と接触板が形成された開閉板とから少なくとも構成し、且つ傾斜板の長さを、側面板の高さよりも１割〜４割長く形成する構造の保冷材用収納体と成す。又、傾斜板と接触板の境の折曲線の長さを、表面板の幅の半分にすると良く、更に接触板に粘着剤を塗布したものとしても良い。
【考案の効果】
【０００８】
請求項１のようにケーキ箱本体（１）の上蓋板部（13）に、保冷材（４）が収納可能な箱状の収納体（２）を設け、該収納体（２）の表面に開口部（21a）を穿設し、且つ収納体（２）の両側には開閉可能な開閉板（24）を設け、該開閉板（24）として、折曲線(25)を介して傾斜板（24a）と接触板（24b）とから形成させることにより、保冷材（４）を収納体（２）の横から収納し、開閉板（24）を内側に押入れるだけで、簡単に保冷材（４）が、ケーキ箱本体（１）の上部に収納され、且つ保冷材（４）の両側から傾斜板（24a）で支持されるため、移動時の揺れに対しても安定したものとなる。また保冷材（４）が安定してケーキの上方に収納されているため、内部の冷気が上から下に常に降下し、ケーキの上部と下部の温度差が従来よりもはるかに小さい状態で保冷できるものとなり、良好な保冷状態が確保できる。更にケーキ箱本体（１）が展開されている状態に於いて、収納体（２）の両側の開閉板（24）を広げておけば、収納体（２）全体が扁平になり、収納体（２）を設けたケーキ箱本体（１）であっても嵩張らずに保管や運搬が出来ると共にケーキ箱本体（１）の構造が複雑にならず、且つ組立ても収納体（２）のない既存のものと大差がなく容易に行える。
【０００９】
請求項２のように傾斜板（24a）の長さ（Ｌ）を収納体（２）の高さ（Ｈ）よりも１割〜４割長くすることにより、保冷材（４）の両側を傾斜板（24a）で支持しながら押えることが可能となるため、移動時の揺れに対しても保冷材（４）がガタ付くことなく、ケーキの上方に極めて安定した状態で保持出来るものとなる。
【００１０】
請求項３に示すように収納体（２）の側面が、ケーキ箱本体（１）を組立て使用する際にその側板部（11）の上部内壁に当接可能に配置されることにより、収納体（２）に保冷材（４）が収納された重量は側板部（11）で支えられるため、収納体（２）で保冷材（４）が確実に収納されるものとなると共に収納体（２）の板厚を薄くして製作することが可能となる。
【００１１】
請求項４に示すように開口部（21a）を穿設した表面板（21）と、該表面板（21）の上下に配置すると共に折曲線(25)を介して設けた側面板（22）と貼着面板（23）と、表面板（21）の左右に配置すると共に折曲線(25)を介して傾斜板（24a）と接触板（24b）が形成された開閉板（24）とから少なくとも構成することにより、ケーキ箱本体（１）の任意箇所に本考案の収納体（２）を貼着させて使用すれば、保冷材（４）の収納箇所が自由に選択出来るものとなると共に保冷材（４）の追加収納も極めて簡単に行えるものとなる。更に店独自の形状をしたケーキ箱本体（１）であっても、本考案の収納体（２）を貼着して簡単にケーキの上方に保冷材（４）を収納可能なものとすることが出来る。又、本考案の収納体（２）には切込がなく、裁断した紙に折曲線(25)を設けた簡単な形状のものであるため、構造が簡単で製造コストも余り掛からないものとなる。更に傾斜板（24a）の長さ（Ｌ）として、側面板（22）の高さ（Ｈ）よりも１割〜４割長く形成することにより、保冷材（４）を安定して収納体（２）内部に収納でき、ケーキ箱本体（１）の上部に保冷材（４）を簡単に備えることが出来るものとなる。
【００１２】
請求項５のように傾斜板（24a）と接触板（24b）の境の折曲線(25)の長さ（ｗ）を、表面板（21）の幅（Ｗ）の半分にすることにより、ケーキ箱本体（１）に貼着した際、収納体（２）両側の開閉板（24）を内側に入れた状態にして折畳み可能となり、嵩張らずに保管や運搬が出来ると共にケーキ箱本体（１）を使用する場合、片側の開閉板（24）を開き、保冷材（４）を収納体（２）に入れ、それを閉じるだけの簡単な作業で保冷材（４）が収納出来るものとなる。
【００１３】
請求項６のように接触板（24b）に粘着剤（３）を塗布することにより、既製のケーキ箱本体（１）の上部に、保冷材（４）が簡単に収納出来ると共にケーキ箱本体（１）の上部以外の箇所でも簡単に収納体（２）を貼着して素早く取付けることが可能なものとなる。
【考案を実施するための最良の形態】
【００１４】
図１は本考案の実施形態を示す図であり、これに基づき説明する。(１)は展開自在なケーキ箱本体であり（図２参照）、該ケーキ箱本体（１）には、立設する４枚の側板部（11）と、底板部（12）と、折曲線(16)を介して上蓋板部（13）と取手板部（14）とがあり、且つ図２に示すノリ代（15）が側板部（11）端部に設けられ、図中の一点鎖線で示すように縦横に折曲線(16)が設けられ、更に上蓋板部（13）を閉じるため及び取手板部（14）に手が入れられるために複数の切込線（17）が切込まれている。（２）はケーキ箱本体（１）の上蓋板部（13）に貼着させた箱状で且つ扁平に折畳み自在な収納体であり、該収納体（２）は２個設けられているが、１個でも良い。この時の収納体（２）の固定位置としては、ケーキ箱本体（１）を組立て使用する際にその側板部（11）の上部内壁に前記収納体（２）の側面が当接するように配置されるのが好ましい。また収納体（２）の表面板（21）の中央には開口部（21a）が穿設されている。更に収納体（２）の両側には開閉可能な開閉板（24）が連結され、該開閉板（24）は、折曲線(25)を介して傾斜板（24a）と接触板（24b）とから形成されている。又、前記傾斜板（24a）の長さ（Ｌ）としては、収納体（２）の高さ（Ｈ）よりも１割〜４割長く形成するのが好ましい。尚、前記長さ（Ｌ）が高さ（Ｈ）よりも0.5割以下になると、内部に収納する保冷材（４）が移動して傾斜板（24a）を押し広げて出てしまう恐れがあり、長さ（Ｌ）が高さ（Ｈ）よりも４割以上になると、開閉板（24）をスムーズに押し入れることが難しくなる。
【００１５】
図３、図４は本考案の収納体の実施形態を示す図であり、これに基づき説明する。(21)は中央に開口部（21a）が穿設された表面板である。前記開口部（21a）は図１〜図４に示す長円形以外に、図５に示すように多数の小穴を穿設させたものとしても良い。（22）は展開状態で表面板（21）の上下に配置されると共に折曲線(25)を介して設けられた側面板であり、（23）は側面板（22）と外側の折曲線(25)を介して設けた貼着面板であり、該貼着面板（23）はケーキ箱本体（１）に貼着させるための板である。前記貼着面板（23）には、図４に示す斜線部分に粘着剤（３）を塗布し、その上に図示しない剥離紙を貼付けたものとしても良い。又、ケーキ箱本体（１）を製作時に、収納体（２）の貼着面板（23）に接着剤を塗布して直接にケーキ箱本体（１）へ固定させたものとしても良い。この時、貼着面板（23）は、側板部（11）と上蓋板部（13）の境の折曲線(16)に沿って固定すると良い（図２参照）。尚、前記収納体（２）はケーキ箱本体（１）を製作上、或いは使用状態に対応して固定方法を決定すれば良い。（24）は図４、図５に示す表面板（21）の左右に配置すると共に折曲線(25)を介して設けた開閉板であり、該開閉板（24）は、外側の折曲線(25)を介して傾斜板（24a）と接触板（24b）とから形成されている。また前記傾斜板（24a）の長さ（Ｌ）としては、側面板（22）の幅よりも１割〜４割長く、つまり収納体（２）の高さ（Ｈ）よりも１割〜４割長く形成するのが好ましい。更に前記傾斜板（24a）と接触板（24b）の境の折曲線(25)の長さ（ｗ）を、前記表面板（21）の幅（Ｗ）の半分にすると良い（図５参照）。又、前記折曲線(25)は図４、図５の図中に示す一点鎖線のように縦方向と横方向にそれぞれ４本ずつ設けられている。
【００１６】
次に本考案の使用方法について説明すると、予め図２に示すケーキ箱本体（１）の展開状態に於いて、収納体（２）を上蓋板部（13）に貼着させ、且つ開閉板（24）を開けておく。また保冷材（４）は冷凍庫などに入れて冷凍させておく。先ずケーキ箱本体（１）を組立てる（図１参照）。そしてケーキ箱本体（１）の内部にケーキを入れた後、一方の開閉板（24）を図６（ａ）の状態から内側へ押入れる。この時、傾斜板（24a）を内部に押入れると共に接触板（24b）を図６（ｂ）のように水平になるまで押入れる。次に保冷材（４）を他方の開閉板（24）側から図６（ｂ）のように入れる。その後、他方の開閉板（24）を前記同様に内側へ押入れる。すると、保冷材（４）が図６（ｃ）に示すように両側の傾斜板（24a）によって位置決めされる。この時、保冷材（４）に左右移動させる力が作用する場合、その力は傾斜板（24a）に働くが、その力は分散されて下方の接触板（24b）を押付ける力が作用するため、開閉板（24）が簡単に開かなくなり、ケーキ箱の移動中に保冷材（４）がガタ付きにくくなり、且つ収納体（２）から保冷材（４）が飛び出る恐れもなく、ケーキ箱本体（１）に入れたケーキの形を崩してしまう恐れもなくなる。
【００１７】
又、組立てられた一般的なケーキ箱本体（１）の内部にケーキを入れた後、本考案の収納体（２）が上蓋板部（13）に貼着して保冷材（４）を上部に収納させる場合は、図示しない剥離紙を剥がし且つ粘着剤（３）を図６（ａ）に示すように上蓋板部（13）へ貼着させる。そして、上記同様にして保冷材（４）を収納体（２）に収納すれば良い。この時、貼着面板（23）を、図１に示す側板部（11）と上蓋板部（13）の境の折曲線(16)に沿って固定しておくと、保冷材（４）を収納した際に、側面板（22）が側板部（11）に当接され、保冷材（４）の重量が側板部（11）で支持されるものとなる。上記のようにして保冷材（４）を収納すれば、必要に応じて保冷材（４）をケーキの上方に収納させることが簡単に出来るものとなる。更に、前記に記載した本考案のケーキ箱が大きい場合には、収納体（２）が上蓋板部（13）に貼着されたもの以外に、ケーキ箱本体（１）の側板部（11）上部に収納体（２）を新たに追加して貼着させたものとしても良い。又、前記傾斜板（24a）と接触板（24b）の境の折曲線(25)の長さ（ｗ）を表面板（21）の幅（Ｗ）の半分とし、前記傾斜板（24a）を内側に押入れてケーキ箱本体（１）に収納体（２）を固定しておくと良い。このケーキ箱本体（１）を組立て使用する場合には、上記同様にケーキ箱本体（１）の内部にケーキを入れた後、収納体（２）を起こして図６（ｃ）の状態にする。そして一方の開閉板（24）を開き、保冷材（４）を内部に入れる。その後、傾斜板（24a）を内部に押入れることにより、保冷材（４）が収納体（２）に収納されるのである。
【図面の簡単な説明】
【００１８】
【図１】本考案の実施形態のケーキ箱を示す斜視図である。
【図２】本実施形態のケーキ箱の展開図である。
【図３】本実施形態の収納体を示す一部切欠いた斜視図である。
【図４】本実施形態の収納体の展開図である。
【図５】本考案の別実施形態の収納体の展開図である。
【図６】本考案の作用を示す説明図である。
【符号の説明】
【００１９】
１  ケーキ箱本体
11  側板部
13  上蓋板部
２  収納体
21  表面板
21a  開口部
22  側面板
23  貼着面板
24  開閉板
24a  傾斜板
24b  接触板
25  折曲線
３  粘着剤
４  保冷材
Ｌ  長さ
Ｈ  高さ
Ｗ  幅
ｗ  折曲線の長さ
【図１】
0003107126.tif 000003
【図２】
0003107126.tif 000004
【図３】
0003107126.tif 000005
【図４】
0003107126.tif 000006
【図５】
0003107126.tif 000007
【図６】
0003107126.tif 000008